(57)【特許請求の範囲】
【請求項１】
拡張物理ダウンリンク制御チャネルＥ−ＰＤＣＣＨのための干渉除去方法であって、
（１）異なる直交カバーリング・コードＯＣＣ系列を異なるセルおよび／または異なるユーザに割り当てるステップと、
（２）ユーザ機器がＰＤＣＣＨ上の干渉を除去できるように、１つのＰＤＣＣＨを構成する複数の制御チャネル要素ＣＣＥを、それぞれセル固有のＯＣＣ系列および／またはユーザ固有のＯＣＣ系列と組み合わせるステップと
を含む、方法。
【請求項２】
ステップ（２）が、
前記ユーザ機器が前記ＰＤＣＣＨ上の前記干渉を除去できるように、１つのＰＤＣＣＨを構成する前記複数のＣＣＥに、それぞれ前記セル固有のＯＣＣ系列および／または前記ユーザ固有のＯＣＣ系列を乗じるステップ
を含む、請求項１に記載の方法。
【請求項３】
１つのＰＤＣＣＨを構成する前記複数のＣＣＥに、次の関数により、それぞれ前記セル固有のＯＣＣ系列および／または前記ユーザ固有のＯＣＣ系列を乗じる：
［ＣＣＥ１  ＣＣＥ２  …  ＣＣＥＮ］→［ＣＣＥ１・ｓ１  ＣＣＥ２・ｓ２  …  ＣＣＥＮ・ｓＮ］
ここで、ＣＣＥｎは、アグリゲーション・レベルＮを有するｎ番目のＣＣＥに入るＰＤＣＣＨデータを示し、［ｓ１  ｓ２  …  ｓＮ］は前記ＯＣＣ系列を示す、請求項２に記載の方法。
【請求項４】
拡張物理ダウンリンク制御チャネルＥ−ＰＤＣＣＨにおいて直交カバーリング・コードＯＣＣを割り当てるための方法であって、
すべての利用可能なＯＣＣ系列をＬＮ個のグループに分割し、各ＯＣＣ系列グループが１つのセルに割り当てられるステップと、
前記各ＯＣＣ系列グループをＫＮ個の系列に分割し、各系列が１人のユーザに割り当てられるステップとを含み、
前記ＯＣＣ系列が直交系列であるとき、ＬＮ・ＫＮ＝Ｎ、前記ＯＣＣ系列が準直交系列であるとき、ＬＮ・ＫＮ＞Ｎ、ここでＮは、ＰＤＣＣＨのアグリゲーション・レベルを示す、方法。
【請求項５】
次の式に従って、対応するＯＣＣ系列グループをターゲット・セルに割り当て：
Ｇ＝Ｍｏｄ（ｃｅｌｌＩＤ，ＬＮ）またはＭｏｄ（ｃｅｌｌＩＤ＋ＳＦＮ，ＬＮ）
次の式に従って、対応するＯＣＣをターゲット・ユーザに割り当てる：
Ｕ＝Ｍｏｄ（Ｐ，ＫＮ）
ここで、Ｇは前記ターゲット・セルに対応する前記ＯＣＣ系列グループを示し、ｃｅｌｌＩＤは前記ターゲット・セルの識別子を示し、ＳＦＮはシステム・フレーム番号を示し、Ｕは前記ターゲット・ユーザに対応する前記ＯＣＣ系列を示し、Ｐは前記ターゲット・ユーザに割り当てられた復調基準信号のアンテナポートのインデックスを示す、請求項４に記載の方法。
【請求項６】
前記ＯＣＣ系列が直交系列であるとき、隣接セルの同じ時間−周波数リソースの前記アグリゲーション・レベルが異なり、
前記ＯＣＣ系列が直交系列であるとき、複数のユーザの前記アグリゲーション・レベルが異なる、請求項５に記載の方法。
【請求項７】
前記ＯＣＣ系列の数が限られるとき、ターゲット・ユーザがブラインド検出により対応するＯＣＣ系列を取得する、請求項４に記載の方法。
【請求項８】
（１）セル中心のユーザ機器に対して、ＫＮを増やし、ＬＮを減らすステップと、
（２）セル端のユーザ機器に対して、ＬＮを増やし、ＫＮを減らすステップと
をさらに含む、請求項４に記載の方法。
【請求項９】
拡張物理ダウンリンク制御チャネルＥ−ＰＤＣＣＨのための干渉除去装置であって、
異なる直交カバーリング・コードＯＣＣ系列を異なるセルおよび／または異なるユーザに割り当てるように構成された割当デバイスと、
ユーザ機器がＰＤＣＣＨ上の干渉を除去できるように、１つのＰＤＣＣＨを構成する複数の制御チャネル要素ＣＣＥを、それぞれセル固有のＯＣＣ系列および／またはユーザ固有のＯＣＣ系列と組み合わせるように構成された組合せデバイスと
を含む、装置。
【請求項１０】
前記組合せデバイスが、前記ユーザ機器が前記ＰＤＣＣＨ上の前記干渉を除去できるように、１つのＰＤＣＣＨを構成している前記複数のＣＣＥに、それぞれ前記セル固有のＯＣＣ系列および／または前記ユーザ固有のＯＣＣ系列を乗じるように構成された、請求項９に記載の装置。
【請求項１１】
１つのＰＤＣＣＨを構成している前記複数のＣＣＥに、次の関数によりそれぞれ前記セル固有のＯＣＣ系列および／または前記ユーザ固有のＯＣＣ系列を乗じる：
［ＣＣＥ１  ＣＣＥ２  …  ＣＣＥＮ］→［ＣＣＥ１・ｓ１  ＣＣＥ２・ｓ２  …  ＣＣＥＮ・ｓＮ］
ここで、ＣＣＥｎは、アグリゲーション・レベルＮを有するｎ番目のＣＣＥに入るＰＤＣＣＨデータを示し、［ｓ１  ｓ２  …  ｓＮ］はＯＣＣ系列を示す、請求項１０に記載の装置。
【請求項１２】
拡張物理ダウンリンク制御チャネルＥ−ＰＤＣＣＨにおいて直交カバーリング・コードＯＣＣを割り当てるための装置であって、
すべての利用可能なＯＣＣ系列をＬＮ個のグループに分割するように構成された第１の割当デバイスであって、各ＯＣＣ系列グループが１つのセルに割り当てられる、第１の割当デバイスと、
前記各ＯＣＣ系列グループをＫＮ個の系列に分割するように構成された第２の割当デバイスであって、各系列が１人のユーザに割り当てられる、第２の割当デバイスとを含み、
前記ＯＣＣ系列が直交系列であるとき、ＬＮ・ＫＮ＝Ｎ、前記ＯＣＣ系列が準直交系列であるとき、ＬＮ・ＫＮ＞Ｎ、ここで、Ｎは、ＰＤＣＣＨのアグリゲーション・レベルを示す、装置。
【請求項１３】
前記第１の割当デバイスが、次の式に従って、対応するＯＣＣ系列グループをターゲット・セルに割り当てるように構成され：
Ｇ＝Ｍｏｄ（ｃｅｌｌＩＤ，ＬＮ）またはＭｏｄ（ｃｅｌｌＩＤ＋ＳＦＮ，ＬＮ）
ここで、Ｇは、前記ターゲット・セルに対応する前記ＯＣＣ系列グループを示し、ｃｅｌｌＩＤは、前記ターゲット・セルの識別子を示し、ＳＦＮはシステム・フレーム番号を示し、
前記第２の割当デバイスが、次の式に従って、対応するＯＣＣをターゲット・ユーザに割り当てるように構成される：
Ｕ＝Ｍｏｄ（Ｐ，ＫＮ）
ここで、Ｕは、前記ターゲット・ユーザに対応する前記ＯＣＣ系列を示し、Ｐは、前記ターゲット・ユーザに割り当てられた復調基準信号のアンテナポートのインデックスを示す、請求項１２に記載の装置。
【請求項１４】
前記ＯＣＣ系列が直交系列であるとき、隣接セルの同じ時間−周波数リソースの前記アグリゲーション・レベルが異なり、
前記ＯＣＣ系列が直交系列であるとき、複数のユーザの前記アグリゲーション・レベルが異なる、請求項１３に記載の装置。
【請求項１５】
前記ＯＣＣ系列の数が限られているとき、ターゲット・ユーザがブラインド検出により対応するＯＣＣ系列を取得する、請求項１２に記載の装置。
【発明の詳細な説明】
【技術分野】
【０００１】
本発明は、物理ダウンリンク制御チャネルＰＤＣＣＨのための干渉除去に関し、より詳細には、拡張物理ダウンリンク制御チャネルＥ−ＰＤＣＣＨのための干渉除去方法に関する。
【背景技術】
【０００２】
拡張物理ダウンリンク制御チャネル（Ｅ−ＰＤＣＣＨ）は、３ＧＰＰにおいて、ＰＤＣＣＨのカバレッジおよび容量を拡張するための潜在的な技術的解決法として検討されてきた。Ｅ−ＰＤＣＣＨの基本的な要件は、ＰＤＣＣＨ上のビームフォーミングをサポートするだけでなく、マルチユーザの多入力／多出力（ＭＵ−ＭＩＭＯ）をサポートすることである。しかしながら、これは２つの問題、すなわち、ビームフォーミングによって引き起こされるセル間干渉（ＩＣＩ）と、マルチユーザの多入力／多出力によって引き起こされるマルチユーザ干渉（ＭＵＩ）をもたらすことになる。ＭＵＩおよびＩＣＩの不安定性により、例えば、５ｍｓ以内のＩＣＩの変化が、一部の帯域幅にわたって２０ｄＢを超える可能性があり、これはほとんど予測されることはなく、したがってＰＤＣＣＨが目標のブロック・エラー・レート（ＢＬＥＲ）を保証するように適切なアグリゲーション・レベル（aggregation level）を選択することはほとんど不可能である。
【０００３】
目標のブロック・エラー・レートを保証するために、複数の符号化レートが必要とされる可能性があり、そのうちの１つは、制御チャネル要素（ＣＣＥ）のアグリゲーション・レベルに基づくものである。ＣＣＥは、９個のリソース要素グループ（ＲＥＧ）から成り、各リソース要素グループは、４つのリソース要素から成る。先行技術においては、４つのＣＣＥアグリゲーション・レベルが規定されており、すなわち、Ｎ＝１、２、４、８である。これらの４つのＣＣＥアグリゲーション・レベルは、周期的に、かつ繰り返して符号化するという役割を果たす。しかしながら、ｅＮｏｄｅＢが次のＰＤＣＣＨ上のＭＵＩおよびＩＣＩの規模を予測するのは困難である。したがって、適切なアグリゲーション・レベルを提供して目標のＢＬＥＲを保証することができない。ＰＤＣＣＨのリソースは非常に重要であるので、適切なアグリゲーション・レベルを選択して、ＰＤＣＣＨ上のＭＵＩおよびＩＣＩを除去することが求められる。ＰＤＣＣＨ上のＭＵＩおよびＩＣＩが除去されると、ＰＤＣＣＨ上の不安定な干渉の問題は、解決されるであろう。
【発明の概要】
【課題を解決するための手段】
【０００４】
先行技術に存在する問題を考慮して、本発明の実施形態は、拡張物理ダウンリンク制御チャネルのための干渉除去方法および装置を提供する。
【０００５】
本発明の１つの態様によれば、拡張物理ダウンリンク制御チャネルＥ−ＰＤＣＣＨのための干渉除去方法が提供され、この方法は、
（１）異なる直交カバーリング・コード（orthogonal covering code）ＯＣＣ系列を異なるセルおよび／または異なるユーザに割り当てるステップと、
（２）ユーザ機器がＰＤＣＣＨ上の干渉を除去できるように、それぞれ１つのＰＤＣＣＨを構成する複数の制御チャネル要素ＣＣＥを、セル固有のＯＣＣ系列および／またはユーザ固有のＯＣＣ系列と組み合わせるステップと
を含む。
【０００６】
本発明の別の態様によれば、拡張物理ダウンリンク制御チャネルＥ−ＰＤＣＣＨにおいて直交カバーリング・コードＯＣＣを割り当てるための方法が提供され、この方法は、
すべての利用可能なＯＣＣ系列をＬＮ個のグループに分割し、各ＯＣＣ系列グループが１つのセルに割り当てられることと、
各ＯＣＣ系列グループをＫＮ個の系列に分割し、各系列が１人のユーザに割り当てられることとを含み、
ＯＣＣ系列が直交系列であるとき、ＬＮ・ＫＮ＝Ｎ、ＯＣＣ系列が準直交系列であるとき、ＬＮ・ＫＮ＞Ｎ、ここでＮは、ＰＤＣＣＨのアグリゲーション・レベルを示す。
【０００７】
本発明のさらなる態様によれば、拡張物理ダウンリンク制御チャネルＥ−ＰＤＣＣＨのための干渉除去装置が提供され、この装置は、
異なる直交カバーリング・コードＯＣＣ系列を異なるセルおよび／または異なるユーザに割り当てるように構成された割当デバイスと、
ユーザ機器がＰＤＣＣＨ上の干渉を除去できるように、１つのＰＤＣＣＨを構成する複数の制御チャネル要素ＣＣＥを、それぞれセル固有のＯＣＣ系列および／またはユーザ固有のＯＣＣ系列と組み合わせるように構成された組合せデバイスと
を含む。
【０００８】
本発明のさらに別の態様によれば、拡張物理ダウンリンク制御チャネルＥ−ＰＤＣＣＨにおいて直交カバーリング・コードＯＣＣを割り当てるための装置が提供され、この装置は、
すべての利用可能なＯＣＣ系列をＬＮ個のグループに分割するように構成された第１の割当デバイスであって、各ＯＣＣ系列グループが１つのセルに割り当てられる、第１の割当デバイスと、
各ＯＣＣ系列グループをＫＮ個の系列に分割するように構成された第２の割当デバイスであって、各系列が１人のユーザに割り当てられる、第２の割当デバイスとを含み、
ＯＣＣ系列が直交系列であるとき、ＬＮ・ＫＮ＝Ｎ、ＯＣＣ系列が準直交系列であるとき、ＬＮ・ＫＮ＞Ｎ、ここでＮは、ＰＤＣＣＨのアグリゲート・レベルを示す。
【図面の簡単な説明】
【０００９】
添付の図面に関連する次の説明を通して本発明をさらに理解することにより、本発明の他の目的および効果はさらに明らかに、および理解しやすくなるであろう。
【図１】本発明の実施形態によるＥ−ＰＤＣＣＨのための干渉除去方法のフローチャートである。
【図２】本発明の実施形態によるＥ−ＰＤＣＣＨにおいてＯＣＣを割り当てるための方法のフローチャートである。
【図３】本発明の実施形態によるセル間のＥ−ＰＤＣＣＨスケジューリングの概略図である。
【図４】本発明の実施形態により低電力信号／ゼロ電力信号を使用することによってＩＣＩを減少させることを示す概略図である。
【図５】本発明の実施形態により周波数に関連したＬＮ、ＫＮを割り当てることを示す概略図である。
【図６】本発明の実施形態によるＥ−ＰＤＣＣＨのための干渉除去装置６００のブロック図である。
【図７】本発明の実施形態によりＥ−ＰＤＣＣＨにおいてＯＣＣを割り当てるための装置７００のブロック図である。
【００１０】
上記の図面のすべてにおいて、同様の参照符号が、同じ、同様の、または対応する特徴または機能を示す。
【発明を実施するための形態】
【００１１】
以下に、添付の図面に関連して本発明の実施形態についてより詳細な説明、および例示を行う。本発明の図面および実施形態は、単に例示の目的であり、本発明の保護範囲を限定するためのものではないことを理解すべきである。
【００１２】
添付の図面中のフローチャートおよびブロック図は、本発明の様々な実施形態によるシステム、方法、および装置の、実装される可能性のあるシステム・アーキテクチャ、機能、および動作を示す。この関連で、フローチャートまたはブロック図中の各ブロックは、モジュール、プログラム・セグメント、またはコードの一部を表すことができ、モジュール、プログラム・セグメント、またはコードの一部は、規定された論理関数を実行するための１つまたは複数の実行可能命令を含む。またいくつかの代替的実施において、ブロックに表示される機能が、図面に表示されるものとは異なる順序で行われる可能性もあることに注意すべきである。例えば、２つの連続して示されるブロックは、実際には、関係している機能によって、実質的に並行して、または時には逆の順序で、行われる可能性がある。ブロック図および／またはフローチャート中の各ブロック、ならびにブロック図および／またはフローチャート中のブロックの組合せは、規定された機能または動作を行う専用ハードウェアベースのシステムによって、あるいは専用ハードウェアおよびコンピュータ命令の組合せによって実行可能であることにも注意すべきである。
【００１３】
本発明では、ユーザ機器（ＵＥ）は、様々なタイプの端末、例えば携帯電話、携帯情報端末（ＰＤＡ）、ポータブル・コンピュータなどとすることができる。ｅＮｏｄｅＢは、基地局またはｅＮＢなどとすることができる。
【００１４】
本発明の他の特徴および利点は、添付の図面に関連して本発明の原理を示す特定の実施形態の次の説明によりさらに明らかになるであろう。
【００１５】
本発明の実施形態では、ＰＤＣＣＨ上のＭＵＩおよびＩＣＩを除去するために、制御チャネル要素（ＣＣＥ）および直交カバーリング・コード（ＯＣＣ）を使用する。ＯＣＣは、干渉を除去するために異なる直交符号を使用する、符号分割多重（ＣＤＭＡ）の概念であることは既に知られている。
【００１６】
図１は、本発明の実施形態によるＥ−ＰＤＣＣＨのための干渉除去方法のフローチャートを示す。図１に示すように、ステップ１０１において、ｅＮｏｄｅＢが、異なる直交カバーリング・コードＯＣＣ系列を異なるセルおよび／または異なるユーザに割り当てる。ステップ１０２において、ユーザ機器がＰＤＣＣＨ上の干渉を除去できるように、１つのＰＤＣＣＨを構成する複数の制御チャネル要素ＣＣＥを、それぞれセル固有のＯＣＣ系列および／またはユーザ固有のＯＣＣ系列と組み合わせる。
【００１７】
本発明の１つの実施形態によれば、ステップ１０２において、ユーザ機器が相関分離演算によりＰＤＣＣＨ上の干渉を除去できるように、１つのＰＤＣＣＨを構成している複数のＣＣＥに、セル固有のＯＣＣ系列および／またはユーザ固有のＯＣＣ系列をそれぞれ乗じる。
【００１８】
本発明の１つの実施形態によれば、次の関数により、１つのＰＤＣＣＨを構成している複数のＣＣＥに、それぞれセル固有のＯＣＣ系列および／またはユーザ固有のＯＣＣ系列を乗じる：
［ＣＣＥ１  ＣＣＥ２  …  ＣＣＥＮ］→［ＣＣＥ１・ｓ１  ＣＣＥ２・ｓ２  …  ＣＣＥＮ・ｓＮ］
ここで、ＣＣＥｎは、アグリゲーション・レベルＮを有するｎ番目のＣＣＥに入るＰＤＣＣＨデータを示し、［ｓ１  ｓ２  …  ｓＮ］はＯＣＣ系列である。本発明の実施形態では、１つのＰＤＣＣＨ内の複数のＣＣＥが、繰り返して符号化される、すなわち完全に同じである。
【００１９】
本発明の１つの実施形態によれば、アグリゲーション・レベルは、Ｎ＝１、２、４、８である。
【００２０】
本発明の１つの実施形態によれば、ｅＮｏｄｅＢが３または６セルを有する場合、３箇所でＩＣＩを除去する必要がある。可変アグリゲーション・レベルを導入することができ、例えばＮは、３、６などとすることができる。
【００２１】
本発明の実施形態では、ｅＮｏｄｅＢは、生成したＣＣＥ１・ｓ１、ＣＣＥ２・ｓ２、…、ＣＣＥｎ・ｓｎをＵＥに送信する。ＵＥは、ＣＣＥ１・ｓ１、ＣＣＥ２・ｓ２、…、ＣＣＥｎ・ｓｎを受信した後、相関分離演算を行い、すなわち、ＣＣＥ１・ｓ１にｓ１の共役転置を乗じ、ＣＣＥ２・ｓ２にｓ２の共役転置を乗じ、ＣＣＥｎ・ｓｎにｓｎの共役転置を乗じ、その結果ＣＣＥ１、ＣＣＥ２、……、ＣＣＥｎが得られる。次に、ＣＣＥ１、ＣＣＥ２、……、ＣＣＥｎに合成およびチャネルの復号を行う。
【００２２】
上記の実施形態では、１つのＰＤＣＣＨの複数のアグリゲートされるＣＣＥの位置は、比較的固定しているべきである。伝統的なＰＤＣＣＨでは、１つのＣＣＥが、複数のＰＤＣＣＨに属する可能性があり、これは、ＰＤＣＣＨのブロッキング・レートにある程度の影響を与える可能性がある。しかしながら、アグリゲートされたＣＣＥが比較的固定していることにより、ブラインド復号の回数を減らすことができ、ＭＵ−ＭＩＭＯ送信の間、ＯＣＣ系列を乗じることによってＰＤＣＣＨの潜在的に増大するブロッキング・レートを相殺することができる。
【００２３】
一般的には、本発明の実施形態によるＯＣＣベースの解決法は、主として狭帯域のＣＣＥ構造を対象とする。（スクランブルされたリソース要素グループを使用する）分散したＣＣＥと比べると、狭帯域のＣＣＥ構造はより高いビームフォーミング利得を得ることができる。
【００２４】
周波数分割多重（ＦＤＭ）のＥＰＤＣＣＨの解決法に加えて、本発明の実施形態は、時間分割多重（ＴＤＭ）のＥＰＤＣＣＨ解決法に適用することもできる。例えば、「マルチキャスト／ブロードキャスト単一周波数ネットワーク（ＭＢＳＦＮ）」と同様の方法で、インターリーブされないＰＤＣＣＨのＯＦＤＭシンボルに対応することができる。その後ＣＣＥは、連続した帯域幅に配置され、ＯＣＣを使用できるようになる。
【００２５】
さらに、周波数選択チャネルにおいて、Ｅ−ＰＤＣＣＨの帯域幅は、Ｅ−ＰＤＣＣＨの拡張されたＯＦＤＭシンボルによって決まり、例えば、２つのＯＦＤＭシンボルが使用される場合、６つのＰＲＢが長さ４を有するＯＣＣ系列に対応することができる。
【００２６】
以下に、異なるセルおよび異なるユーザに対して対応するＯＣＣ系列を割り当てる方法について説明する。
【００２７】
本発明の実施形態では、ＩＣＩおよびＭＵＩを除去するために、Ｅ−ＰＤＣＣＨにおいてＯＣＣを割り当てるための方法を提供する。
【００２８】
図２は、本発明の実施形態によるＥ−ＰＤＣＣＨにおいてＯＣＣを割り当てるための方法のフローチャートである。図２に示すように、ステップ２０１において、ｅＮｏｄｅＢがすべての利用可能なＯＣＣ系列をＬＮ個のグループに分割し、各ＯＣＣ系列グループが１つのセルに割り当てられる。ステップ２０２において、各ＯＣＣ系列グループが、ＫＮ個の系列に分割され、各系列が１人のユーザに割り当てられて、ＭＵ−ＭＩＭＯ送信をサポートし、ＯＣＣ系列が直交系列であるとき、ＬＮ・ＫＮ＝Ｎ、ＯＣＣ系列が準直交系列であるとき、ＬＮ・ＫＮ＞Ｎ、ここで、ＮはＰＤＣＣＨのアグリゲート・レベルである。
【００２９】
以下に、本発明の実施形態により異なるセルに対応するＯＣＣ系列グループを割り当てるための方法について説明する。
【００３０】
本発明の１つの実施形態によれば、次の式に従って、対応するＯＣＣ系列グループをターゲット・セルに割り当てる：
Ｇ＝Ｍｏｄ（ｃｅｌｌＩＤ，ＬＮ）またはＭｏｄ（ｃｅｌｌＩＤ＋ＳＦＮ，ＬＮ）、
ここで、Ｇは、ターゲット・セルに対応するＯＣＣ系列グループを示し、ｃｅｌｌＩＤは、ターゲット・セルの識別子を示し、ＳＦＮはシステム・フレーム番号を示す。
【００３１】
図３は、本発明の実施形態によるセル間のＥ−ＰＤＣＣＨスケジューリングの概略図を示す。図３に示すように、隣接セルのＣＣＥは、同じ帯域幅で配置されるべきである。
【００３２】
本発明の１つの実施形態によれば、ＯＣＣ系列が直交系列であるとき、隣接セルの同じ時間−周波数リソースのアグリゲーション・レベルは同じである必要はない。図３では、セル１の右側の４ブロックで示されるアグリゲーション・レベルは４であり、この時点で、セル１におけるＣＣＥは、ＯＣＣ［１  １  １  １］および［１  １  −１  −１］を割り当てることができる。セル２の右側の４ブロックで示されるアグリゲーション・レベルは２であり、この時点で、セル２におけるＣＣＥは、［１  −１］および［１  −１］を割り当てることができる。
【００３３】
図４は、本発明の実施形態により低電力信号／ゼロ電力信号を使用することによってＩＣＩを減少させることを示す概略図を示す。図４に示すように、セル中心のＵＥについては、ＰＤＣＣＨをセル１で送信することができ、一方セル２では、低電力信号／ゼロ電力信号を使用して、セル１で送信されるＰＤＣＣＨに影響を及ぼすことなく、物理ダウンリンク共有チャネル（ＰＤＳＣＨ）を送信し、それによってセル間干渉（ＩＣＩ）を減少させる。
【００３４】
以下に、本発明の実施形態により異なるユーザに対応するＯＣＣ系列を割り当てるための方法について説明する。
【００３５】
本発明の１つの実施形態によれば、次の式に従って、対応するＯＣＣをターゲット・ユーザに割り当てる：
Ｕ＝Ｍｏｄ（Ｐ，ＫＮ）
ここでＵは、ターゲット・ユーザに対応するＯＣＣ系列を示し、Ｐは、ターゲット・ユーザに割り当てられた復調基準信号（Demodulation Reference Signal：ＤＭＲＳ）のアンテナポートのインデックスを示す。
【００３６】
本発明の１つの実施形態によれば、ＤＭＲＳのアンテナポートは、９番目のＲＥＧまたは伝統的なＰＤＣＣＨを使用して、ＵＥに通知される。
【００３７】
本発明の１つの実施形態によれば、ＯＣＣ系列が直交系列であるとき、複数のユーザのアグリゲーション・レベルは同じものである必要がない。
【００３８】
ゆえに、ターゲット・ユーザに対する最終的に使用されるＯＣＣのインデックスは、Ｇ・ＫＮ＋Ｕである。
【００３９】
本発明の１つの実施形態によれば、ＯＣＣ系列の数が限られているとき、ブラインド検出を用いて、ＵＥが対応するＯＣＣ系列を取得できるようにすることができる。詳細には、ｅＮｏｄｅＢは、ＵＥに割り当てられたＯＣＣ系列を通知しない。この時点では、ＵＥは、考えられるすべてのＯＣＣ系列をテストし、ＣＣＥに含まれるチェック・ビットから割り当てられたＯＣＣ系列を取得する。
【００４０】
本発明の実施形態では、アグリゲーション・レベルが２の整数乗であるとき、２値系列、例えばＷａｌｓｈ関数を使用して、ＯＣＣ系列を生成することができる。アグリゲーション・レベルが２の整数乗ではないとき、非２値系列、例えばＺａｄ−ｏｆｆ  Ｃｈｕ系列を使用して、ＯＣＣ系列を生成することができる。
【００４１】
既に述べたように、変数ＬＮ、ＫＮはＥ−ＰＤＣＣＨの容量に著しく影響を及ぼす。以下に、本発明の実施形態による変数ＬＮ、ＫＮを最適化するための方法について説明する。
【００４２】
直接的な方法は、例えば周波数に依存しない方法であり、例えばあらかじめ定められた、またはブロードキャストされた通知によりＬＮ、ＫＮを設定する。しかしながら、セル中心のＵＥおよびセル端のＵＥが一般的に多様な干渉を受けることを考慮し、本発明の実施形態は、次の技術的解決法を提供する：
（１）セル中心のＵＥについては、通常、ＭＵＩがＩＣＩを圧倒するので、ＫＮを増やして、ＬＮを減らし、例えばＫＮ＝Ｎ、ＬＮ＝１。
（２）セル端のＵＥについては、通常、ＩＣＩがＭＵＩを圧倒するので、ＬＮを増やして、ＫＮを減らし、例えばＬＮ＝Ｎ／２、ＫＮ＝２。
【００４３】
さらに、ＭＵ−ＭＩＭＯ送信を行うＵＥは、潜在的な混乱を避けるために、同じＬＮ、ＫＮ値を有するべきである。
【００４４】
図５は、本発明の実施形態により、周波数に関連したＬＮ、ＫＮを割り当てることを示す概略図である。図５に示すように、セル中心のＵＥについては、ＬＮは１であり、ＫＮは２である。セル端のＵＥについては、ＬＮは４に増やされ、ＫＮは２である。さらに、電力調整を使用することができ、例えばセル中心のＵＥに割り当てられた帯域幅に、より低い送信電力を備えることができ、セル端のＵＥに対する帯域幅に、より高い送信電力を備えることができる。
【００４５】
システム・レベルのシミュレーションにおいて、ＵＥ側で観察されるＭＵＩ／ＩＣＩが極めて不安定であり、例えば５ｍｓの間に２０ｄＢの変化が発生することが、既にわかっている。本発明の実施形態を用いると、様々なタイプの干渉に直面するセル中心のＵＥおよびセル端のＵＥに、ＯＣＣリソースを柔軟に適用することができる。さらに、電力の割当は、補助的解決法であり、これもまた干渉を軽減することができる。
【００４６】
図６は、本発明の実施形態によるＥ−ＰＤＣＣＨのための干渉除去装置６００のブロック図を示す。図６に示すように、干渉除去装置６００は、割当デバイス６０１と、組合せデバイス６０２とを含む。割当デバイス６０１は、異なる直交カバーリング・コードＯＣＣ系列を異なるセルおよび／または異なるユーザに割り当てるように構成される。組合せデバイス６０２は、ユーザ機器がＰＤＣＣＨ上の干渉を除去できるように、１つのＰＤＣＣＨを構成する複数の制御チャネル要素ＣＣＥを、それぞれセル固有のＯＣＣ系列および／またはユーザ固有のＯＣＣ系列と組み合わせるように構成される。
【００４７】
本発明の１つの実施形態によれば、組合せデバイス６０２は、ユーザ機器がＰＤＣＣＨ上の干渉を除去できるように、１つのＰＤＣＣＨを構成している複数のＣＣＥに、それぞれセル固有のＯＣＣ系列および／またはユーザ固有のＯＣＣ系列を乗じるように構成される。
【００４８】
本発明の１つの実施形態によれば、次の関数により、１つのＰＤＣＣＨを構成している複数のＣＣＥに、それぞれセル固有のＯＣＣ系列および／またはユーザ固有のＯＣＣ系列を乗じる：
［ＣＣＥ１  ＣＣＥ２  …  ＣＣＥＮ］→［ＣＣＥ１・ｓ１  ＣＣＥ２・ｓ２  …  ＣＣＥＮ・ｓＮ］
ここで、ＣＣＥｎは、アグリゲーション・レベルＮを有するｎ番目のＣＣＥに入るＰＤＣＣＨデータを示し、［ｓ１  ｓ２  …  ｓＮ］はＯＣＣ系列を示す。
【００４９】
図７は、本発明の実施形態によりＥ−ＰＤＣＣＨにおいてＯＣＣを割り当てるための装置７００のブロック図を示す。図７に示すように、装置７００は、第１の割当デバイス７０１と、第２の割当デバイス７０２とを含む。第１の割当デバイス７０１は、利用できるすべてのＯＣＣ系列をＬＮ個のグループに分割するように構成され、ＯＣＣ系列の各グループが、１つのセルに割り当てられる。第２の割当デバイス７０２は、ＯＣＣ系列の各グループをＫＮ個の系列に分割するように構成され、各系列が、１人のユーザに割り当てられる。この実施形態では、ＯＣＣ系列が直交系列であるとき、ＬＮ・ＫＮ＝Ｎ、ＯＣＣ系列が準直交系列であるとき、ＬＮ・ＫＮ＞Ｎ、ここでＮは、ＰＤＣＣＨのアグリゲート・レベルを示す。
【００５０】
本発明の１つの実施形態によれば、第１の割当デバイス７０１は、次の式に従って、ＯＣＣ系列の対応するグループをターゲット・セルに割り当てる：
Ｇ＝Ｍｏｄ（ｃｅｌｌＩＤ，ＬＮ）またはＭｏｄ（ｃｅｌｌＩＤ＋ＳＦＮ，ＬＮ）
ここで、Ｇは、ターゲット・セルに対応するＯＣＣ系列グループを示し、ｃｅｌｌＩＤは、ターゲット・セルの識別子を示し、ＳＦＮはシステム・フレーム番号を示す。
【００５１】
本発明の１つの実施形態によれば、ＯＣＣ系列が直交系列であるとき、隣接セルの同じ時間−周波数リソースのアグリゲーション・レベルは同じものではない。
【００５２】
本発明の１つの実施形態によれば、第２の割当デバイス７０２は、次の式に従って、対応するＯＣＣをターゲット・ユーザに割り当てる：
Ｕ＝Ｍｏｄ（Ｐ，ＫＮ）
ここでＵは、ターゲット・ユーザに対応するＯＣＣ系列を示し、Ｐは、ターゲット・ユーザに割り当てられた復調基準信号のアンテナポートのインデックスを示す。
【００５３】
本発明の１つの実施形態によれば、ＯＣＣ系列が直交系列であるとき、複数のユーザのアグリゲーション・レベルは同じものではない。
【００５４】
本発明の１つの実施形態によれば、ＯＣＣ系列の数が限られているとき、ターゲット・ユーザは、ブラインド検出により対応するＯＣＣ系列を取得する。
【００５５】
本発明の１つの実施形態によれば、セル中心のユーザ機器については、ＫＮが増やされて、ＬＮが減らされ、セル端のユーザ機器については、ＬＮが増やされて、ＫＮが減らされる。
【００５６】
本発明の実施形態において開示する方法は、ソフトウェア、ハードウェア、またはソフトウェアとハードウェアの組合せで実施することができることに注意すべきである。ハードウェアの部分は、専用の論理を用いて実施することができ、ソフトウェアの部分は、メモリに格納し、適切な命令実行システム、例えばマイクロプロセッサ、パーソナルコンピュータ（ＰＣ）、またはメインフレームで、実行することができる。いくつかの実施形態において、本発明は、ファームウェア、常駐ソフトウェア、マイクロコードなどを含む、ただしこれらに限定されない、ソフトウェアとして具体化される。
【００５７】
さらに、本発明の実施形態は、コンピュータで利用可能な、あるいは、コンピュータもしくは任意の命令実行システムによって、またはこれと接続して使用するためのプログラムコードを提供するコンピュータ可読媒体によってアクセス可能な、コンピュータプログラム製品の形態で具体化することができる。説明のために、コンピュータ使用可能媒体またはコンピュータ可読媒体は、命令実行システム、装置、もしくはデバイスによって、またはこれと接続して使用するためのプログラムを収容する、格納する、伝達する、伝搬する、または運搬することができるいかなる有形デバイスとすることもできる。
【００５８】
媒体は、電気、磁気、光、電磁気、赤外線、または半導体のシステム（または装置またはデバイス）、または伝搬媒体とすることができる。コンピュータ可読媒体の例には、半導体またはソリッド・ストレージ・デバイス、磁気テープ、ポータブル・コンピュータ・ディスケット、ランダム・アクセス・メモリ（ＲＡＭ）、読取り専用メモリ（ＲＯＭ）、ハードディスク、および光ディスクが含まれる。現在の光ディスクの例には、コンパクトディスク読取り専用メモリ（ＣＤ−ＲＯＭ）、コンパクトディスク読取り／書込み（ＣＤ−Ｒ／Ｗ）、およびＤＶＤが含まれる。
【００５９】
本発明の実施形態をよりわかりやすくするために、上記の説明は、当業者には知られている、本発明の実施に欠くことのできない可能性があるいくつかのさらに特定の技術的な詳細を省いていることに注意すべきである。本発明の記述を提供する目的は、説明および例示にあるが、開示した形態の中で本発明を論じ尽くすことでも、限定することでもない。当業者には、様々な変更形態および代替形態が明らかである。
【００６０】
したがって、実施形態を選択して述べるのは、本発明の原理および実際の応用についてより良く説明するためであり、本発明の趣旨を逸脱することなく、添付の特許請求の範囲によって定められる本発明の保護範囲内に含まれるあらゆる変更形態および変形形態を当業者が理解できるようにするためである。
【図１】
0005744335.tif 000002
【図２】
0005744335.tif 000003
【図３】
0005744335.tif 000004
【図４】
0005744335.tif 000005
【図５】
0005744335.tif 000006
【図６】
0005744335.tif 000007
【図７】
0005744335.tif 000008